(57)【要約】      （修正有）【課題】搬送中等における活貝類の殻の破損および活貝類自体の移動を抑えることができる活貝類用トレーと、活貝類用トレーおよびトレーを梱包する梱包容器を備えた梱包体を提供する。【解決手段】活貝類として牡蠣Ｐを収納する活貝類用のトレー１であって、トレーには、牡蠣を収納する複数の収納凹部１２が形成され、収納凹部を形成する少なくとも収納壁部に、水分排出と冷気送付用の貫通孔が設けられている。さらに、トレーは、牡蠣を収納凹部に収納した状態で梱包容器に１段または上下方向に多段に配置した状態で梱包され、梱包体とされる。【選択図】図５
0003224346.tif 000002
【実用新案登録請求の範囲】
【請求項１】
活貝類を収納する活貝類用トレーであって、
前記活貝類用トレーには、活貝類を収納する複数の収納凹部が形成されており、
前記収納凹部を形成する少なくとも収納壁部には、貫通孔が設けられていることを特徴とする活貝類用トレー。
【請求項２】
前記活貝類用トレーは、熱可塑性樹脂発泡シート成形品であることを特徴とする請求項１に記載の活貝類用トレー。
【請求項３】
前記貫通孔は、前記収納凹部側から前記活貝類用トレーの底面側に向かって拡大していることを特徴とする請求項１または２に記載の活貝類用トレー。
【請求項４】
前記底面側の貫通孔の開口面積は、前記収納凹部側の貫通孔の開口面積に対して、２〜１０倍の範囲にあることを特徴とする請求項３に記載の活貝類用トレー。
【請求項５】
前記収納凹部に活貝類を収納した、請求項１〜４のいずれか一項に記載の活貝類用トレーと、前記活貝類用トレーを梱包する梱包容器を備えた梱包体であって、
活貝類を収納した前記活貝類用トレーを１段または上下方向に多段に配置した状態で、前記梱包容器の内部において、前記活貝類用トレーの上方に保冷材が配置されていることを特徴とする梱包体。
【考案の詳細な説明】
【技術分野】
【０００１】
本考案は、活貝類を収納する活貝類用トレーと、活貝類用トレーおよびこれを梱包する梱包容器を備えた梱包体に関する。
【背景技術】
【０００２】
従来から、活貝類の収穫、選別、出荷、輸送では、発泡スチロールなどの梱包容器が用いられている。活貝類は、その表面に海水などの水分が付着したり、水分を吐き出したりすることがあることから、たとえば、特許文献１に示すように、活貝類を梱包する梱包容器の底部に水抜孔が設けられることがある。
【先行技術文献】
【特許文献】
【０００３】
【特許文献１】実開昭６３−２０２６８２号公報
【考案の概要】
【考案が解決しようとする課題】
【０００４】
しかしながら、特許文献１で提案されている梱包容器に、複数の活貝類を収納する際には、複数の活貝類は、不規則な姿勢で梱包容器に収納されることになる。この結果、活貝類同士が接触した際に、活貝類の殻が破損することがある。
【０００５】
このような点を鑑みると、たとえば、活貝類を層状に収納し、層状に収納した活貝類の間に発泡樹脂製の緩衝シートなどを配置することもできる。しかしながら、梱包容器の運搬時の振動によって、活貝類が移動することで、やはり殻の破損が発生し易い。これに加えて、たとえば、梱包容器内に活貝類を見栄えよく整列して収納したとしても、梱包容器内で活貝類が不均一に動いてしまい、開梱時には、活貝類の見栄えが悪くなってしまうことも想定される。
【０００６】
本考案は、このような点を鑑みてなされたものであり、その目的とするところは、搬送中等における活貝類の殻の破損および活貝類自体の移動を抑えることができる活貝類用トレーと、この活貝類用トレーおよびこれを梱包する梱包容器を備えた梱包体を提供することにある。
【課題を解決するための手段】
【０００７】
考案者は鋭意検討を重ねた結果、複数の活貝類を梱包する際には、各活貝類を個別に収納するような収納凹部が形成されたトレーを準備すれば、個々の活貝類の移動は収納凹部内に制限されるため、活貝類同士の接触により殻が損傷することを抑えることができると考えた。
【０００８】
本考案は、このような考えに基づくものであり、本考案に係る活貝類用トレーは、活貝類を収納する活貝類用トレーであって、前記活貝類用トレーには、活貝類を収納する複数の収納凹部が形成されており、前記収納凹部を形成する少なくとも収納壁部には、貫通孔が設けられていることを特徴とする。
【０００９】
本考案によれば、活貝類は、活貝類用トレーに形成された収納凹部に収容されるため、たとえば搬送時の振動などがあっても、個々の活貝類の移動は、収納凹部内に制限される。特に、所定の配列状態で収納凹部を形成すれば、活貝類用トレーに活貝類を見栄え良く収納することができるばかりでなく、搬送時の振動により、活貝類用トレー内を活貝類が不均一に移動することを抑えることができる。
【００１０】
さらに、活貝類用トレーの収納凹部を形成する少なくとも収納壁部には、貫通孔が形成されているため、活貝類の表面に付着した海水などの水分および活貝類が吐き出す水分を、収納凹部に形成された貫通孔から排水することができる。このようにして、活貝類を収納凹部に収納した状態で活貝類用トレーを１段に配置したとしても、活貝類用トレーに収納された活貝類の水分を活貝類用トレーの外部に排水することができる。活貝類を収納凹部に収納した状態で活貝類用トレーを上下方向に多段に配置したとしても、上段の活貝類用トレーに収納された活貝類の水分を下段の活貝類用トレーに排水し、最下段の活貝類用トレーから活貝類用トレーの外部に排水することができる。
【００１１】
ここで、活貝類用トレーとしは、耐水性の観点から樹脂による成形品などを挙げることができる。より好ましい態様としては、前記活貝類用トレーは、熱可塑性樹脂発泡シート成形品である。活貝類用トレーを熱可塑性樹脂発泡シート成形品としたことにより、活貝類は、活貝類用トレーを構成する熱可塑性樹脂の発泡樹脂が緩衝材として作用するため、活貝類の殻の破損を抑えることができる。
【００１２】
さらに、収納凹部の収納壁部に設けられた貫通孔の形状は、排水性を確保することができるのであれば、特に限定されるものではない。貫通孔は、収納凹部側から活貝類用トレーの底面側に向かって拡大していてもよいし、トレーの底面側から収納凹部側に向って拡大していてもよいし、収納凹部側からトレーの底面側（あるいは、トレーの底面側から収納凹部側）に向かって拡大も縮小もせず同じであってもよい。より好ましい態様としては、前記貫通孔は、前記収納凹部側から前記トレーの底面側に向かって拡大している。
【００１３】
この態様によれば、貫通孔が、収納凹部側から活貝類用トレーの底面側に向かって拡大しているので、貫通孔が、トレーの底面側から収納凹部側に向って拡大しているもの（あるいは、拡大も縮小もせず同じもの）に比べて、収納凹部に活貝類を収納した際に、活貝類の殻を介して貫通孔が押し広げられることを抑えることができる。これにより、貫通孔を起点とした活貝類用トレーの破損を抑えることができる。
【００１４】
ここで、活貝類用トレーに活貝類を収納した際に、活貝類用トレーの破損を低減することができるのであれば、収納凹部側から活貝類用トレーの底面側に向かって拡大した貫通孔の広がりの程度は、特に限定されるものではない。しかしながら、より好ましい態様としては、前記底面側の貫通孔の開口面積は、前記収納凹部側の貫通孔の開口面積に対して、２〜１０倍の範囲にあることがより好ましい。
【００１５】
このような範囲の開口面積の関係を満たすことにより、貫通孔を起点とした活貝類用トレーの破損をより確実に抑えることができる。ここで、活貝類用トレーの底面側の貫通孔の開口面積が、収納凹部側の貫通孔の開口面積に対して、２倍未満の場合には、活貝類用トレーの破損の低減を十分に期待することができないことがある。一方、活貝類用トレーの底面側の貫通孔の開口面積が、収納凹部側の貫通孔の開口面積に対して、１０倍を超える場合には、貫通孔まわりの収納凹部の収納壁部の肉厚が薄くなってしまう。したがって、この場合にも、活貝類用トレーの破損の低減を十分に期待することができないことがある。
【００１６】
本考案として、上述した活貝類用トレーを梱包容器に梱包した梱包体を開示する。本考案に係る梱包体は、収納凹部に活貝類を収納した活貝類用トレーと、前記活貝類用トレーを梱包する梱包容器を備えた梱包体であって、活貝類を収納した前記活貝類用トレーを１段または上下方向に多段に配置した状態で、前記梱包容器の内部において、前記活貝類用トレーの上方に保冷材が配置されている。
【００１７】
本考案によれば、梱包体の内部には、活貝類を収納凹部に収納した状態で活貝類用トレーが１段または上下方向に多段に配置されている。これにより、活貝類の表面に付着した海水などの水分および活貝類が吐き出す海水などの水分を、収納凹部に形成された貫通孔から排水し、活貝類用トレーから梱包体の底部に排水することができる。
【００１８】
さらに、活貝類用トレーが上下方向に多段に配置されている場合、上段と下段の活貝類用トレーの収納凹部に収納された活貝類同士の間には、上段の活貝類用トレーが配置されるため、上段の活貝類用トレーの活貝類と、下段の活貝類用トレーの活貝類とが直接的に接触することを抑えることができる。これにより、活貝類同士の直接的な接触を抑えることができ、活貝類の殻の破損を抑えることができる。
【００１９】
さらに、梱包体は、活貝類を収納した活貝類用トレーを１段または上下方向に多段に配置した状態で、活貝類用トレーの上方に保冷材が配置されているので、保冷材の冷気を、保冷材の下方において１段または上下方向に多段に配置された活貝類用トレーに流すことができる。活貝類用トレーの収納凹部を形成する少なくとも収納壁部には、貫通孔が形成されているため、隣接する収納凹部に冷気を送り込むことができる。また、活貝類用トレーが上下方向に多段に配置されている場合、上段の活貝類用トレーの貫通孔を介して、下段の活貝類用トレーに冷気を送り込むことができる。これにより、活貝類用トレーに収納された活貝類をより、梱包容器内で、効率的に保冷することができる。
【考案の効果】
【００２０】
本考案に係る活貝類を収納する活貝類用トレーと、活貝類用トレーおよびこれを梱包する梱包容器によれば、搬送中等における活貝類の殻の破損および活貝類自体の移動を抑えることができる。
【図面の簡単な説明】
【００２１】
【図１】本考案の実施形態に係る活貝類用トレーの模式的斜視図である。
【図２】図１に示す活貝類用トレーの平面図である。
【図３】図２に示すＡ−Ａ線に沿った矢視方向の端面図である。
【図４】（ａ）は、図３に示すＣ部の断面図であり、（ｂ）は、（ａ）に示すＤ方向（収納凹部側）から視た貫通孔の開口部を示した拡大図である。
【図５】図１に示す活貝類用トレーに活貝類として牡蠣を収納した状態を示した模式的斜視図である。
【図６】図２に示すＢ−Ｂ線に沿った矢視方向において、活貝類用トレーを梱包容器に収納した包装体の模式的断面図である。
【考案を実施するための形態】
【００２２】
以下に、本考案の実施の形態を、図１〜６を参照しながら説明する。
本実施形態に係る活貝類用トレー１（以下「トレー１」という）は、牡蠣、ホタテ貝、アワビ、ムール貝、サザエ、アカ貝、バカ貝、ハマグリ、トリ貝、ホッキ貝、シジミ、アサリ、アゲマキ貝などの活きた状態の貝類である活貝類を複数収納するためのトレーである。本実施形態では、活貝類の１つとして牡蠣Ｐを例示している。
【００２３】
トレー１は、たとえば合成樹脂（熱可塑性樹脂）発泡シート成形品であり、合成樹脂発泡シートとしては、ポリプロピレンやポリエチレン等のポリオレフィン系樹脂、ポリエステル系樹脂、ポリスチレン系樹脂、ポリ塩化ビニル系樹脂その他の適度の弾力性を有しかつ保形強度のある各種の合成樹脂発泡シート、あるいはこれらの合成樹脂発泡シートの片面もしくは両面に非発泡樹脂をラミネートした合成樹脂発泡シートが用いられていてもよい。これらの中に界面活性剤、抗菌剤、着色剤等の添加剤を加えてもよい。
【００２４】
中でも、ポリスチレン系樹脂の発泡シートの場合、剛性と柔軟性のバランスがよく緩衝性に優れ、かつ強度があって保形、復元性、成形性にも優れるため、繰り返し使用するのに適している。さらに、ポリスチレン系樹脂の発泡シートは、ポリオレフィン系樹脂の発泡シートに比べ比較的強靭でないので孔加工がしやすく部分的に後述する貫通孔が開かない等も問題も発生しにくい。
【００２５】
合成樹脂発泡シートにより成形されたトレー１の厚みは、使用素材によっても異なるが、ポリスチレン系樹脂発泡シートの場合、トレー１の厚みは１．０〜３．０ｍｍの範囲にあり、未発泡の状態から発泡倍率が１０〜２０倍の範囲に発泡しているものがより好ましい。
【００２６】
トレー１の厚みが前記より小さくなると、牡蠣Ｐに対して充分な支持強度が得られなくなる。一方、トレー１の厚みが前記より大きくなると、発泡シートからの成形が困難になる上に嵩高になる。また、発泡倍率が、前記範囲より小さいと、牡蠣Ｐに対して充分な緩衝性が得られず、発泡倍率が範囲より大きいと、トレー１の強度が低下し、輸送中に剛性不足で牡蠣Ｐなどの活貝類が損傷するおそれがある。トレー１は、適度の弾力性及び保形性を有する上述した熱可塑性の合成樹脂発泡シートから真空成形、圧空成形等の熱成形加工の手段により一体に成形されてなる。
【００２７】
本実施形態では、後述する複数の貫通孔１６、１６、…に相当する貫通孔を予め孔加工した合成樹脂発泡シートを熱圧成形するが、たとえば、孔加工されていない合成樹脂発泡シートをトレーの形状に熱圧成形した後、後述する収納壁部のみに複数の貫通孔１６、１６、…を成形してもよい。
【００２８】
図１〜図３に示すように、トレー１には、外周縁部１１と、外周縁部１１の内方において所定の間隔で配列された複数の収納凹部１２、１２、…とが形成されている。各収納凹部１２は、収納壁部１３により形成されている。複数の収納凹部１２、１２、…のうち、いくつかの収納凹部１２には、隣接する収納凹部１２と連結する連結溝１８が形成されている。
【００２９】
本実施形態では、収納凹部１２は、略同じ形状であり、トレー１の長手方向に沿って６列、短手方向に沿って５列、合計で３０個配列されている。これにより、図５に示すように、牡蠣Ｐは、トレー１に形成された収納凹部１２に収容されるため、たとえば搬送時の振動などがあっても、個々の牡蠣Ｐが収納凹部１２から外れて、移動することを制限することができる。特に、トレー１には収納凹部１２が規則的に（周期性をもって）配列されているため、トレー１に見栄え良く牡蠣Ｐを収納することができるばかりでなく、搬送時の振動により、トレー１内を牡蠣Ｐが不均一に移動することを抑えることができる。
【００３０】
ここで、本実施形態では、成形前の合成樹脂発泡シートに貫通孔を設けたので、熱成形されたトレー１の収納壁部１３を含むトレー全体には、複数の貫通孔１６、１６、…が形成されている。ここで、各貫通孔１６の間隔は、たとえば５〜２０ｍｍのピッチの範囲にあり、貫通孔１６の孔径は、たとえば０．３〜３ｍｍの範囲にあることが好ましい。
【００３１】
本実施形態では、図３に示すように、収納壁部１３は、収納凹部１２の底部を形成する底壁部１４と、底壁部１４の周縁部から連続して収納凹部１２の開口部まで立ち上った側壁部１５とを備えている。本実施形態では、収納壁部１３のうち、底壁部１４と側壁部１５の双方に、複数の貫通孔１６、１６、…が形成されているが、たとえば、底壁部１４にのみ貫通孔１６、１６、…が形成されていてもよい。さらに、底壁部１４に形成される貫通孔１６の個数は、２個以上であることが好ましい。
【００３２】
このように収納壁部１３の底壁部１４に貫通孔１６，１６，…を設けることにより、牡蠣Ｐの表面に付着した海水などの水分および牡蠣Ｐが吐き出す海水などの水分を、収納凹部１２に形成された貫通孔１６から下方に排水することができる。
【００３３】
このようにして、牡蠣Ｐを収納凹部１２に収納した状態でトレー１を１段に配置したとしても、トレー１に収納された牡蠣Ｐの水分をトレー１の外部に排水することができる。牡蠣Ｐを収納凹部１２に収納した状態でトレー１を上下方向に多段に配置したとしても、上段のトレー１に収納された牡蠣Ｐの水分は、貫通孔１６を介して下段のトレー１に排水される。さらに、最下段のトレー１から外部に排水することができる。また、収納凹部１２に形成された貫通孔１６で、収納凹部１２に収納された牡蠣Ｐの通気性を確保することにより、牡蠣Ｐに冷気を送り込み易くなる。
【００３４】
ここで、本明細書でいう収納凹部１２の「底壁部」とは、収納凹部１２に牡蠣Ｐを収納した状態で、牡蠣Ｐによる自重による変形も含めて、トレー１の底面１９側の底壁部１４が平面状の梱包容器３０の底部３４に接触する部分をいう。
【００３５】
底壁部１４の貫通孔１６からの排水性を高めるためには、底壁部１４の貫通孔１６は、単位面積当たり０．４〜３個／ｃｍ２の範囲にあることが好ましい。ここで、底壁部１４の貫通孔１６が、単位面積当たり０．４個／ｃｍ２未満である場合には、貫通孔１６に水分が到達するのに時間がかかり、この場合も迅速に水分をトレー外部に排水することができないことがある。一方、底壁部１４の貫通孔１６が、単位面積当たり３個／ｃｍ２を超えた場合には、底壁部１４の強度が低下するおそれがある。
【００３６】
さらに、収納凹部１２の収納壁部１３に設けられた貫通孔１６の形状は、排水性を確保することができるのであれば、特に限定されるものではないが、本実施形態では、図３（ａ）、（ｂ）に示すように、貫通孔１６は、収納凹部１２側からトレー１の底面１９側に向かって拡大している。
【００３７】
各貫通孔１６が、収納凹部１２側からトレー１の底面１９側に向かって拡大しているので、貫通孔１６が、トレーの底面１９側から収納凹部１２側に向って拡大しているもの（あるいは、拡大も縮小もせず同じもの）に比べて、収納凹部１２に牡蠣Ｐを収納した際に、牡蠣Ｐの殻を介して貫通孔１６が押し広げられることを抑えることができる。これにより、貫通孔１６を起点としたトレー１の破損を抑えることができる。
【００３８】
特に、牡蠣Ｐなどの活貝類は、殻の縁部が扁平して尖った形状であるため、この縁部に接触するトレー１の部分は、応力集中し易いところ、貫通孔１６を上述した形状にすることにより、貫通孔１６の近傍に牡蠣Ｐの縁部が接触したとしても、この貫通孔１６を起点としたトレー１の破損をより確実に抑えることができる。
【００３９】
ここで、本実施形態では、図４（ｂ）に示すように、トレー１の底面１９側の貫通孔１６の開口縁１６ｂが形成する開口面積は、収納凹部１２側の貫通孔１６の開口縁１６ａが形成する開口面積に対して、２〜１０倍の範囲にある。このような範囲の開口面積の関係を満たすことにより、貫通孔１６を起点としたトレー１の破損をより確実に抑えることができる。
【００４０】
ここで、トレー１の底面１９側の貫通孔１６の開口面積が、収納凹部１２側の貫通孔１６の開口面積に対して、２倍未満の場合には、トレー１の破損の低減を十分に期待することができないことがある。一方、トレー１の底面１９側の貫通孔１６の開口面積が、収納凹部１２側の貫通孔１６の開口面積に対して、１０倍を超える場合には、貫通孔１６まわりの収納凹部１２の収納壁部１３の肉厚が薄くなってしまう。したがって、この場合にも、トレー１の破損の低減を十分に期待することができないことがある。
【００４１】
このようなトレー１に牡蠣Ｐに収納する際には、図５に示すように、牡蠣Ｐをトレー１の一方側から、トレー１の他方側に向かって収納凹部１２に収納する。このようにして、収納凹部１２に牡蠣Ｐを収納したトレー１を複数（本実施形態では２組）準備する。
【００４２】
次に、トレー１を梱包する梱包容器３０を準備し、梱包容器３０の内部に、牡蠣Ｐが収納されたトレー１を１段または上下方向に多段に配置する。本実施形態では、梱包容器３０は、容器本体３１と蓋体３２とで構成される。
【００４３】
容器本体３１と蓋体３２とは、発泡樹脂からなり、たとえば、ポリスチレン、スチレン改質ポリオレフィン系樹脂、ハイインパクトポリスチレン、スチレン−エチレン共重合体、スチレン−無水マレイン酸共重合体、スチレン−アクリロニトリル共重合体等のポリスチレン系樹脂、ポリエチレン、ポリプロピレン、エチレン−酢酸ビニル共重合体等のポリオレフィン系樹脂、ポリエチレンテレフタレート等のポリエステル系樹脂等の各種合成樹脂の発泡体を用いることができる。スチレン改質ポリオレフィン系樹脂は、ポリオレフィン系樹脂粒子にスチレン系単量体を含浸重合させて得られるものであり、スチレン改質ポリオレフィン系樹脂の中でも、スチレン改質ポリエチレン樹脂が好ましく、たとえば、スチレン成分の割合は４０〜９０重量％、好ましくは５０〜８５重量％、さらに好ましくは５５〜７５重量％のものが用いられる。
【００４４】
中でも、発泡性樹脂粒子を予備発泡する工程、得られた発泡樹脂粒子を型内発泡成形する工程、これらの工程を経て得られた型内発泡成形体が好適に用いられる。型内発泡成形体としては、ポリスチレンまたはスチレン改質ポリオレフィン系樹脂等のポリスチレン系樹脂発泡体が好適に用いられる。
【００４５】
また、発泡体の発泡倍率は３０〜８０倍が好ましい。本実施形態の梱包容器３０で使用する発泡樹脂は、従来に比較して発泡倍率を高めに設定している。このように発泡倍率を高めることで、荷重が加わったときに従来の発泡倍率の場合と比較して、より潰れやすく緩衝効果に優れた構成となっている。
【００４６】
梱包容器３０は、上述した如く、トレー１を収容する収容部３３が形成された容器本体３１と、容器本体３１の開口部３１ａを覆うように、容器本体３１に被着される蓋体３２と、を備えている。
【００４７】
容器本体３１は、略矩形状の底部３４と、底部３４の周縁から立設した４つの側壁部３５、３５、…とを備えており、側壁部３５の上端部には、上方に開口した開口部３１ａが形成されている。この開口部３１ａに、蓋体３２の縁部３２ａが嵌合する。
【００４８】
さらに、対向する側壁部３５、３５の外壁面には、上下方向に沿って底部３４側から凹んだ凹部３５ａが形成されており、凹部３５ａの上端には、指係部３５ｂが形成されている。容器本体３１の内部には、凹部３５ａに応じて内側に膨出した膨出部３７が形成されている。
【００４９】
このような梱包容器３０を用いて、牡蠣Ｐを収納したトレー１を梱包する。具体的には、容器本体３１の開口部３１ａから、牡蠣Ｐを収容したトレー１を１段または上下方向に多段に配置する。本実施形態では、トレー１を上下方向に２段に配置する。この際、容器本体３１には、膨出部３７が形成されているため、トレー１の外周縁部１１が僅かに変形し、容器本体３１の収容部３３にトレー１を拘束することができる。
【００５０】
次に、牡蠣Ｐを収納したトレー１を１段または上下方向に多段に配置した状態で、その上に、ウレタンなどの発泡シート４０を覆い、トレー１の上方である発泡シート４０の上部に、保冷材５０を載置する。最後に、保冷材５０を配置した状態で、容器本体３１に蓋体３２を被着する。このようにして、牡蠣Ｐを収納したトレー１を１段または上下方向に多段に配置した状態で、梱包容器３０の内部において、トレー１の上方に保冷材５０が配置された梱包体１００を得ることができる。
【００５１】
本考案によれば、梱包体１００の内部には、牡蠣Ｐを収納凹部１２に収納した状態でトレー１が１段または上下方向に多段に配置されている。これにより、牡蠣Ｐの表面に付着した海水などの水分および牡蠣Ｐが吐き出す海水などの水分を、収納凹部１２に形成された貫通孔１６から容器本体３１の底部３４に排水することができる。
【００５２】
さらに、トレー１が上下方向に多段に配置されている場合、上段と下段のトレー１、１の収納凹部１２に収納された牡蠣Ｐ、Ｐ同士の間には、上段のトレー１が配置されるため、上段のトレー１の牡蠣Ｐと、下段のトレー１の牡蠣Ｐとが直接的に接触することを抑えることができる。これにより、牡蠣Ｐ、Ｐ同士の接触を抑えることができる。
【００５３】
さらに、梱包体１００は、牡蠣Ｐを収納したトレー１を１段または上下方向に多段に配置した状態で、トレー１の上方に保冷材５０が配置されているので、保冷材５０の冷気を、保冷材５０の下方において１段または上下方向に多段に配置されたトレー１に流すことができる。トレー１の収納凹部１２を形成する少なくとも収納壁部１３には、貫通孔１６が形成されているため、隣接する収納凹部１２に冷気を送り込むことができる。また、トレー１が上下方向に多段に配置されている場合、上段のトレー１の貫通孔１６を介して、下段のトレー１に冷気を送り込むことができる。これにより、トレー１に収納された牡蠣Ｐをより、梱包容器３０内で、効率的に保冷することができる。
【００５４】
以上、本考案の実施形態について詳述したが、本考案は、前記の実施形態に限定されるものではなく、登録実用新案請求の範囲に記載された本考案の精神を逸脱しない範囲で、種々の設計変更を行うことができるものである。
【００５５】
本実施形態では、トレーの全面に貫通孔を形成したが、トレーの収納凹部にのみ、貫通孔を形成してもよい。また、本実施形態では、１段または上下方向に多段に配置したトレーの貫通孔の大きさは、略同じであったが、たとえば、トレーが上下方向に多段に配置されている場合、下段のトレーの貫通孔の大きさを、上段のトレーの貫通孔の大きさより大きくし、上段のトレーに比べて、下段のトレーの排水性を高めてもよい。
【符号の説明】
【００５６】
１…トレー（活貝類用トレー）、１１…外周縁部、１２…収納凹部、１３…収納壁部、１４…底壁部、１５…側壁部、１６…貫通孔、３０…梱包容器、５０…保冷材、１００…梱包体、Ｐ…牡蠣
【図１】
0003224346.tif 000003
【図２】
0003224346.tif 000004
【図３】
0003224346.tif 000005
【図４】
0003224346.tif 000006
【図５】
0003224346.tif 000007
【図６】
0003224346.tif 000008